(57)【要約】      （修正有）【課題】構造が簡単で安価であり、且つ使用上の信頼性の高い牛用鼻木を提供する。【解決手段】鼻串２の一端部２ａを、桁木１の第１嵌挿孔３に嵌挿し且つその端面に固定ビス８によって取付けた座金７によって第１嵌挿孔からの抜け止めをするとともにその軸心周りに回動可能に構成する。桁木を厚さ方向に二分してその間に鼻串の一端部を進入させて回転可能とする場合に比して、構造が簡単で安価に提供できる。また、鼻串の一端部に設けた周溝とその径方向外側に設けられるピンとの係入度合いにバラツキが生じ易い構造の場合に比して、使用上における高い信頼性が確保される。【選択図】図２
0003185515.tif 000002
【実用新案登録請求の範囲】
【請求項１】
棒状形体を有し且つその両端部（１ａ），（１ｂ）にそれぞれ第１嵌挿孔（３）と第２嵌挿孔（４）が設けられた桁木（１）と、可撓性材でなる略Ｃ字状又は略Ｕ字状の鼻串（２）とを備えてなる牛用鼻木であって、
上記鼻串（２）の一端部（２ａ）は、上記桁木（１）の上記第１嵌挿孔（３）に嵌挿され且つその端面に固定ビス（８）によって取付けた座金（７）によって該第１嵌挿孔（３）からの抜け止めがなされるとともにその軸心周りに回動可能とされる一方、
上記鼻串（２）の他端部（２ｂ）は、その先端部に尖頭状の突刺部（１１）を備え且つ上記桁木（１）の上記第２嵌挿孔（４）への嵌挿状態においてはロックピン（９）によって該第２嵌挿孔（４）からの抜け止めがなされるように構成されたことを特徴とする牛用鼻木。
【考案の詳細な説明】
【技術分野】
【０００１】  本考案は、牛の鼻腔壁に穿孔して取り付けられて該牛の牽引・拘束に使用される牛用鼻木に関するものである。
【背景技術】
【０００２】  牛用鼻木は、棒状形体を有する桁木と、可撓性材でなる略Ｃ字状又は略Ｕ字状の鼻串とを備えて構成されるものであって、古くから使用されているが、近年においては、単に牛の牽引・拘束機能を有するものから、さらに牛の鼻腔壁の穿孔機能を併せ持った多機能の牛用鼻木が提案されている（例えば、特許文献１，２参照）。【０００３】  特許文献１に示されるものは、略Ｃ字状の鼻串の一端部を桁木の一端部にピンを介して連結し、該ピンを中心として上記鼻串を回動可能に構成し、これによって上記鼻串の一端部に設けた尖頭状の突刺部を上記桁木側に収納保持したり、該桁木側から離脱させて牛の鼻腔壁を穿孔したりできるようにしたものである。【０００４】  特許文献２に示されるものは、略Ｕ字状の鼻串の一端部を桁木１の一端部に設けた嵌挿孔に嵌挿し、該一端部の外周面に設けた周溝にその側方から、上記桁木１の嵌挿孔に臨んで設けた左右一対のピンを係入させることで、該鼻串を上記一端部を中心としてその軸心周りに回転可能に構成し、これによって上記鼻串の一端部に設けた尖頭状の突刺部を上記桁木側に収納保持したり、該桁木側から引き出して牛の鼻腔壁を穿孔したりできるようにしたものである。
【先行技術文献】
【特許文献】
【０００５】
【特許文献１】  特開平９−１８２５３８号公報
【特許文献２】  特開２００４−２４８６５７号公報
【考案の概要】
【考案が解決しようとする課題】
【０００６】  ところが、引用文献１に示される牛用鼻木では、桁木をその厚さ方向に二分し、これらの隙間部分に上記鼻串の一端部を進入させて回転可能とする構成であることから、その構造が複雑で、製造コストが高くつくという問題があった。【０００７】  また、特許文献２に示される牛用鼻木では、鼻串の一端部に設けた周溝に、その径方向の両側からピンの中間部を係入させる構造であって、例えば、製作誤差等によって、これら両者の係入度合いにバラツキが生じ易く、使用上に信頼性という点において改善の余地があった。【０００８】  そこで、本考案は、構造が簡単で安価であり、且つ使用上の信頼性の高い牛用鼻木を提供することを目的としてなされたものである。
【課題を解決するための手段】
【０００９】  本考案では、棒状形体を有し且つその両端部１ａ，１ｂにそれぞれ第１嵌挿孔３と第２嵌挿孔４が設けられた桁木１と、可撓性材でなる略Ｃ字状又は略Ｕ字状の鼻串２とを備えてなる牛用鼻木において、上記鼻串２の一端部２ａを、上記桁木１の上記第１嵌挿孔３に嵌挿し且つその端面に固定ビス８によって取付けた座金７によって該第１嵌挿孔３からの抜け止めをするとともにその軸心周りに回動可能とする一方、上記鼻串２の他端部２ｂは、その先端部に尖頭状の突刺部１１を備え且つ上記桁木１の上記第２嵌挿孔４への嵌挿状態においてはロックピン９によって該第２嵌挿孔４からの抜け止めをするように構成したことを特徴としている。
【考案の効果】
【００１０】  本考案に係る牛用鼻木によれば、上記鼻串２の一端部２ａを、上記桁木１の上記第１嵌挿孔３に嵌挿し且つその端面に固定ビス８によって取付けた座金７によって該第１嵌挿孔３からの抜け止めをするとともにその軸心周りに回動可能に構成したので、例えば、特許文献１に示される牛用鼻木のように桁木を厚さ方向に二分してその間に鼻串の一端部を進入させて回転可能とする場合に比して、構造が簡単で有り安価に提供できる。【００１１】  また、上記鼻串２の一端部２ａの端面に取付けた座金７によって第１嵌挿孔３からの抜け止めを行うようにしたことで、例えば、引用文献２のように鼻串の一端部に設けた周溝とその径方向外側に設けられるピンとの係入度合いにバラツキが生じ易い構造の場合に比して、使用上における信頼性が高い牛用鼻木を提供できる。
【図面の簡単な説明】
【００１２】
【図１】  本考案の第１の実施の形態に係る牛用鼻木の全体斜視図である。
【図２】  図１に示した牛用鼻木の構造説明図である。
【図３】  本考案の第２の実施の形態に係る牛用鼻木の構造説明図である。
【考案を実施するための形態】
【００１３】  以下、本考案を好適な実施形態に基づいて具体的に説明する。
【００１４】  「第１の実施形態」
図１及び図２には、本考案の第１の実施形態に係る牛用の鼻木Ｚを示している。この鼻木Ｚは、桁木１と鼻串２を備えて構成される。
【００１５】  Ａ：桁木１の構成
上記桁木１は、木製の角棒体であって、その一端部１ａ側には第１嵌挿孔３が、他端部１ｂ側には第２嵌挿孔４がそれぞれ形成されている。
【００１６】  ここで、この実施形態では、次述する上記鼻串２が略Ｃ字状の湾曲形体とされることから、これに対応して、上記第１嵌挿孔３及び第２嵌挿孔４は、共に上記桁木１の上面１ｃから裏面１ｄに向けて上記桁木１の軸方向内側へ傾斜する傾斜孔とされている。また、上記第１嵌挿孔３の上記桁木１の裏面１ｄ側の端部は、第１嵌挿孔３よりも大径で且つ該裏面１ｄ側から凹入する座穴５とされており、その底面は座面６とされる。
【００１７】  また、上記桁木１の他端部１ｂの側面には、上記第２嵌挿孔４をその径方向引に貫通するピン孔１０が形成されており、このピン孔１０には後述のロックピン９が嵌挿される。
【００１８】  Ｂ：鼻串２の構成
上記鼻串２は、例えば、適度の可撓性をもつ剛性樹脂材等からなる所定径の丸棒体を略Ｃ字状に湾曲成形して構成され、その両端部２ａ，２ｂは、それぞれ上記桁木１の上記第１嵌挿孔３と第２嵌挿孔４に嵌挿される。そして、この鼻串２の一端部２ａの端面は切り落とし面とされ、ここには固定ビス８によって座金７が着脱可能に取付けられている。
【００１９】  一方、上記鼻串２の他端部２ｂの先端部は、尖頭状の突刺部１１とされるとともに、該突刺部１１の近傍にはピン孔１２が形成されている。尚、このピン孔１２は、上記鼻串２の他端部２ｂを上記桁木１の上記第２嵌挿孔４に嵌挿した状態において、該桁木１側の上記ピン孔１０と重合可能とされる。
【００２０】  Ｃ：上記桁木１と鼻串２の組み付け
上記桁木１への上記鼻串２の組み付けは、先ず、上記鼻串２の一端部２ａの端面から上記座金７を取り外し、この状態で、該一端部２ａ側から上記桁木１の上記第１嵌挿孔３に嵌挿し、その先端を上記桁木１の裏面１ｄ側から突出させる。この突出した上記鼻串２の一端部２ａ側の端面に、固定ビス８を用いて上記座金７を締結固定する。
【００２１】  この座金７の取付けにより、該座金７が上記桁木１側の座面６に当接することで該鼻串２の一端部２ａの上記第１嵌挿孔３からの抜けが規制されるとともに、該鼻串２は上記一端部２ａの軸心Ｌ周りの回動が許容される。上記鼻串２を上記一端部２ａの軸心Ｌ周りに回動させると、図２に鎖線図示するように上記鼻串２の他端部２ｂが上記桁木１から離れて非拘束状態とされ上記突刺部１１が露出する。
【００２２】  従って、この回動状態で、上記突刺部１１によって牛の鼻腔壁を穿孔してここに上記鼻串２を取付けることができる。
【００２３】  一方、上記鼻串２は可撓性をもつことから、その弾性領域内で該鼻串２を拡開変形させても、その拡開操作力が消滅すれば当初形体に形状復帰する。従って、上記一端部２ａが上記桁木１の第１嵌挿孔３に嵌挿され且つ上記座金７によって抜け止めがされた状態で、上記鼻串２を上記一端部２ａ周りに回動させ且つ適度に拡開変形させることで、図２に実線図示するように上記他端部２ｂを上記桁木１側の上記第２嵌挿孔４に嵌挿させたり、同図に鎖線図示するように上記第２嵌挿孔４から離脱させて上記桁木１の底側で上記突刺部１１を外部に露出させたりすることができる。
【００２４】  そして、上記鼻串２の他端部２ｂを上記桁木１の上記第２嵌挿孔４に嵌挿した状態では、相互に重合している上記桁木１側の上記ピン孔１０と上記鼻串２該の上記ピン孔１２にロックピン９を嵌挿することで、該他端部２ｂの抜け止めが行われる。この実施形態が上記鼻木Ｚの使用時形体である。
【００２５】  以上のように、この実施形態の鼻木Ｚにおいては、上記鼻串２の一端部２ａを上記桁木１側の上記第１嵌挿孔３に嵌挿し、且つその先端面に上記座金７を取り付けるという簡単な構造及び操作によって、上記鼻串２の上記第１嵌挿孔３からの抜け止めと、該一端部２ａ回りの回動が実現されることから、該鼻木Ｚを、例えば、上掲の引用文献１の場合に比して、より安価に提供できる。
【００２６】  また、上記鼻串２の一端部２ａの端面に取付けた座金７によって第１嵌挿孔３からの抜け止めを行うようにしたことで、例えば、引用文献２のように鼻串の一端部に設けた周溝とその径方向外側に設けられるピンとの係入度合いにバラツキが生じ易い構造の場合に比して、上記鼻木Ｚの使用上における信頼性が向上することになる。
【００２７】  「第２の実施形態」
図３には、本考案の第２の実施形態に係る牛用の鼻木Ｚを示している。この鼻木Ｚは、上記第１の実施形態に係る鼻木Ｚとその基本構成を同じにするものであって、これと異なる点は、上記鼻串２を略Ｕ字状に形成した点である。係る構成とすれば、上記桁木１における上記第１嵌挿孔３及び第２嵌挿孔４の加工、及び上記鼻串２の成形が容易であるとともに、鼻木Ｚを牛に装着する際の操作性が良好になるという利点がある。
【０２８】  これ以外の作用効果については、上記第１の実施形態の場合と同様であるので、ここでの説明を省略する。
【産業上の利用可能性】
【００２９】  本願考案の牛用鼻木は、酪農業において、牛の鼻腔壁に穿孔して取り付けられて該牛の牽引・拘束に使用されるものである。
【符号の説明】
【００３０】１    ・・桁木
２    ・・鼻串
３    ・・第１嵌挿孔
４    ・・第２嵌挿孔
５    ・・座穴
６    ・・座面
７    ・・座金
８    ・・固定ビス
９    ・・ロックピン
１０  ・・ピン孔
１１  ・・突刺部
Ｚ    ・・鼻木Ｚ
【図１】
0003185515.tif 000003
【図２】
0003185515.tif 000004
【図３】
0003185515.tif 000005